(57)【要約】【課題】  複数の印刷装置に対する通信設定について、当該通信設定が正しく行われたか否かを容易に確認することができる。【解決手段】  複数のＰＯＳプリンター２が接続させるホストコンピューター１であって、各ＰＯＳプリンター２のＩＰアドレスを取得するＩＰアドレス取得部４１と、取得した各ＰＯＳプリンター２のＩＰアドレスに基づいて、各ＰＯＳプリンター２との通信を確立するための通信設定を行う通信設定部４２と、確立した各ＰＯＳプリンターとの通信を利用して、通信設定部４２の各ＰＯＳプリンター２に対する設定結果を、各ＰＯＳプリンター２に印刷させる確認印刷制御部４５と、を備えた。【選択図】  図２
2016081406.tif 000002
【特許請求の範囲】
【請求項１】
複数の印刷装置が接続される印刷制御装置であって、
前記各印刷装置のＩＰアドレスを取得するＩＰアドレス取得部と、
取得した前記各印刷装置の前記ＩＰアドレスに基づいて、前記各印刷装置との通信を確
立するための通信設定を行う通信設定部と、
確立した前記各印刷装置との通信を利用して、前記通信設定部の前記各印刷装置に対す
る設定結果を、前記各印刷装置に印刷させる印刷制御部と、を備えたことを特徴とする印
刷制御装置。
【請求項２】
前記各印刷装置の機種情報を取得する機種情報取得部と、
取得した前記各印刷装置の前記機種情報に基づいて、プリンタードライバーで前記各印
刷装置の印刷制御を行うためのドライバー設定を行うドライバー設定部と、を備え、
前記印刷制御部は、前記通信設定部の前記各印刷装置に対する設定結果に加え、前記ド
ライバー設定部の前記各印刷装置に対する設定結果を、前記各印刷装置に印刷させること
を特徴とする請求項１に記載の印刷制御装置。
【請求項３】
前記各印刷装置のデバイス固有情報を取得する固有情報取得部を、更に備え、
前記ドライバー設定部は、前記機種情報に加え、取得した前記各印刷装置の前記デバイ
ス固有情報に基づいて、前記ドライバー設定を行うことを特徴とする請求項２に記載の印
刷制御装置。
【請求項４】
複数の印刷装置が接続される印刷制御装置の制御方法であって、
前記各印刷装置のＩＰアドレスを取得するＩＰアドレス取得ステップと、
取得した前記各印刷装置の前記ＩＰアドレスに基づいて、前記各印刷装置との通信を確
立するための通信設定を行う通信設定ステップと、
確立した前記各印刷装置との通信を利用して、前記通信設定ステップの前記各印刷装置
に対する設定結果を、前記各印刷装置に印刷させる印刷制御ステップと、を実行すること
を特徴とする印刷制御装置の制御方法。
【請求項５】
コンピューターに、請求項４に記載の印刷制御装置の制御方法における各ステップを実
行させるためのプログラム。
【発明の詳細な説明】
【技術分野】
【０００１】
本発明は、複数の印刷装置が接続され、当該複数の印刷装置の印刷制御を行う印刷制御
装置、印刷制御装置の制御方法およびプログラムに関するものである。
【背景技術】
【０００２】
従来、印刷システムとして、クライアント（情報処理装置）と、１台以上の印刷装置（
画像形成装置）により構成される印刷装置群と、１台以上のサーバーにより構成される印
刷サーバー群と、を備えたＷｅｂ印刷システムが知られている（特許文献１参照）。この
Ｗｅｂ印刷システムでは、印刷サーバー群が、印刷サービスを提供するサービス提供装置
として機能し、クライアントが、当該印刷サービスを利用して印刷装置に印刷指示を行う
。また、クライアントは、各印刷装置を、印刷サービスに登録する機能を有している。具
体的には、クライアントは、印刷サービスを登録する各印刷装置を探索し、探索した各印
刷装置に登録要求を送信する。これに対し、各印刷装置は、登録要求を受けて、自身のプ
リンター情報を印刷サーバー群に送信する。これを受けた印刷サーバー群は、受信したプ
リンター情報を情報格納部に格納する。これによって、印刷装置が印刷サービスに登録さ
れ、登録された印刷装置が、印刷サービスにより利用可能となる。このＷｅｂ印刷システ
ムでは、複数の印刷装置に対する上記登録処理を一括して行うことで、登録処理の手間を
緩和する構成となっている。
【先行技術文献】
【特許文献】
【０００３】
【特許文献１】特開２０１４−２６３３３号公報
【発明の概要】
【発明が解決しようとする課題】
【０００４】
ところで、Ｗｅｂ印刷システムではない印刷システム、すなわちホストコンピューター
と、これに接続された複数の印刷装置とから成る印刷システムにおいても、上記のように
プリンター情報を登録する必要がある。具体的には、ホストコンピューターに、各印刷装
置のＩＰアドレスを登録して通信設定を行うことで、ホストコンピューターから、印刷装
置が利用できるようになる。しかしながら、この種の印刷システムでは、この通信設定を
印刷装置毎に個々に行う必要があったため、当該通信設定が著しく煩雑であるという問題
があった。そこで、上記従来のＷｅｂ印刷システムのように、複数の印刷装置を探索し、
探索した複数の印刷装置を一括して登録することで、複数の印刷装置に対する通信設定を
一括して行うことが考えられる。
しかしながら、このような構成では、通信設定自体の手間は緩和されるものの、この通
信設定が正常に行われたか否かの確認作業が著しく煩雑であるという問題がある。すなわ
ち、当該確認作業は、実際に印刷を行ってみる他なく、印刷指示を行ってテスト印刷を行
わせる作業を、印刷装置毎に個々に行う必要があった。
【０００５】
本発明は、複数の印刷装置に対する通信設定について、当該通信設定が正しく行われた
か否かを容易に確認することができる印刷制御装置、印刷制御装置の制御方法およびプロ
グラムを提供することを課題としている。
【課題を解決するための手段】
【０００６】
本発明の印刷制御装置は、複数の印刷装置が接続される印刷制御装置であって、各印刷
装置のＩＰアドレスを取得するＩＰアドレス取得部と、取得した各印刷装置のＩＰアドレ
スに基づいて、各印刷装置との通信を確立するための通信設定を行う通信設定部と、確立
した各印刷装置との通信を利用して、通信設定部の各印刷装置に対する設定結果を、各印
刷装置に印刷させる印刷制御部と、を備えたことを特徴とする。
【０００７】
本発明の印刷制御装置の制御方法は、複数の印刷装置が接続される印刷制御装置の制御
方法であって、各印刷装置のＩＰアドレスを取得するＩＰアドレス取得ステップと、取得
した各印刷装置のＩＰアドレスに基づいて、各印刷装置との通信を確立するための通信設
定を行う通信設定ステップと、確立した各印刷装置との通信を利用して、通信設定ステッ
プの各印刷装置に対する設定結果を、各印刷装置に印刷させる印刷制御ステップと、を実
行することが好ましい。
【０００８】
本発明のプログラムは、コンピューターに、上記の印刷制御装置の制御方法における各
ステップを実行させることを特徴とする。
【０００９】
これらの構成によれば、各印刷装置に対する通信設定の設定結果を、各印刷装置で印刷
させる構成であるため、ユーザーは、各印刷装置における印刷の有無や、各印刷装置で印
刷された設定結果を参照することで、各印刷装置に対する通信設定が正常に行われたか否
かを、容易に確認することができる。ひいては、複数の印刷装置に対する通信設定を一括
して行うことができ、さらにその確認作業についても、一括して行うことができるため、
一連の通信設定および確認作業を容易に行うことができる。
【００１０】
上記の印刷制御装置において、各印刷装置の機種情報を取得する機種情報取得部と、取
得した各印刷装置の機種情報に基づいて、プリンタードライバーで各印刷装置の印刷制御
を行うためのドライバー設定を行うドライバー設定部と、を備え、印刷制御部は、通信設
定部の各印刷装置に対する設定結果に加え、ドライバー設定部の各印刷装置に対する設定
結果を、各印刷装置に印刷させることが好ましい。
【００１１】
この場合、各印刷装置のデバイス固有情報を取得する固有情報取得部を、更に備え、ド
ライバー設定部は、機種情報に加え、取得した各印刷装置のデバイス固有情報に基づいて
、ドライバー設定を行うことが好ましい。
【００１２】
これらの構成によれば、各印刷装置に対するドライバー設定の設定結果を、各印刷装置
で印刷させる構成であるため、ユーザーは、各印刷装置における印刷の有無や、印刷具合
、各印刷装置で印刷された設定結果を参照することで、各印刷装置に対するドライバー設
定が正常に行われたか否かを、容易に確認することができる。すなわち、通信設定と一緒
に、ドライバー設定についても確認することができ、通信設定およびドライバー設定の確
認作業を容易に行うことができる。
【図面の簡単な説明】
【００１３】
【図１】本発明の一実施形態に係る印刷システムを示したシステム構成図である。
【図２】ホストコンピューターの制御構成を示した制御ブロック図である。
【図３】印刷システムによる自動設定動作を示したフローチャートである。
【発明を実施するための形態】
【００１４】
以下、添付の図面を参照して、本発明の一実施形態に係る印刷制御装置、印刷制御装置
の制御方法およびプログラムについて説明する。実施形態では、本発明の印刷制御装置を
適用したホストコンピューターおよび、これを備えた印刷システムについて例示する。本
印刷システムは、飲食店やデパート等の各種店舗に用いられるものであり、複数のＰＯＳ
プリンターを利用して、レシートやラベル、伝票シート等を印刷するものである。特に、
本印刷システムは、複数のＰＯＳプリンターに対する通信設定やドライバー設定を容易に
行うことができ、また当該各設定が正常に行われたか否かを容易に確認できる構成を有し
たものである。
【００１５】
図１に示すように、印刷システムＳＹは、印刷指示を行うホストコンピューター１と、
ホストコンピューター１に接続された複数のＰＯＳプリンター２（印刷装置）と、により
構成されている。ホストコンピューター１と複数のＰＯＳプリンター２とは、店舗内ＬＡ
Ｎ（Local  Area  Network）３を介して接続されており、各種データを相互に送受信可能
に構成されている。なお、本実施形態では、ホストコンピューター１と複数のＰＯＳプリ
ンター２とを、ＬＡＮを介して接続する構成としたが、ホストコンピューター１と複数の
ＰＯＳプリンター２とを、インターネットを介して接続する構成であっても良い。
【００１６】
ホストコンピューター１は、一般的なパーソナルコンピューター等を利用可能であり、
キーボードやマウス等を有する操作部１１と、ディスプレイ等を有する表示部１２と、Ｐ
ＯＳプリンター２との通信を行う通信部１３と、各部を制御する制御部１４と、を備えて
いる。
【００１７】
制御部１４は、ＣＰＵ（Ｃｅｎｔｒａｌ  Ｐｒｏｃｅｓｓｉｎｇ  Ｕｎｉｔ）、ＲＯＭ
（Ｒｅａｄ  Ｏｎｌｙ  Ｍｅｍｏｒｙ）、ＲＡＭ（Ｒａｎｄｏｍ  Ａｃｃｅｓｓ  Ｍｅｍ
ｏｒｙ）等を有し、ホストコンピューター１全体を統括制御する。ホストコンピューター
１は、制御部１４により印刷コマンドを生成し、通信部１３により印刷コマンドを各ＰＯ
Ｓプリンター２に送信することで、各ＰＯＳプリンター２の印刷制御を行う。
【００１８】
一方、各ＰＯＳプリンター２は、ホストコンピューター１との通信を行う通信部２１と
、印刷用紙に対し印刷処理を行うプリンターエンジン２２と、これらを制御するプリンタ
ーコントローラー２３と、を備えている。ＰＯＳプリンター２は、通信部２１により、ホ
ストコンピューター１からの印刷コマンドを受信すると共に、プリンターコントローラー
２３の制御の下、受信した印刷コマンドに基づき、プリンターエンジン２２により印刷処
理を行う。これによって、ＰＯＳプリンター２は、レシートやラベル、伝票シート等を発
行する。
【００１９】
ここで図２を参照して、ホストコンピューター１の制御構成について説明する。図２に
示すように、ホストコンピューター１は、通信モジュール３１と、プリンタードライバー
３２と、ＰＯＳアプリケーション３０と、自動設定ツール３３と、を有している。また、
ホストコンピューター１は、通信モジュール３１における通信設定の設定情報を記憶する
通信設定記憶部３４と、プリンタードライバー３２におけるドライバー設定の設定情報を
記憶するドライバー設定記憶部３５と、を有している。
【００２０】
通信設定記憶部３４は、通信モジュール３１で各ＰＯＳプリンター２との通信を確立す
るための通信設定の設定情報を記憶するデータベースである。通信設定記憶部３４は、当
該設定情報を、通信モジュール３１の通信ポート毎の通信設定ファイルとして記憶する。
各通信設定ファイルには、主に、通信ポートのポート名と、通信ポートに接続されたＰＯ
Ｓプリンター２のＩＰアドレスと、を登録することができる。本実施形態では、予めポー
ト名が登録された通信設定ファイルに、ＰＯＳプリンター２のＩＰアドレスを登録するこ
とで、通信設定を行う構成となっている。
【００２１】
ドライバー設定記憶部３５は、プリンタードライバー３２で各ＰＯＳプリンター２の印
刷制御を行うためのドライバー設定の設定情報を記憶するデータベースである。ドライバ
ー設定記憶部３５は、当該設定情報を、ＰＯＳプリンター２毎のドライバー設定ファイル
として記憶している。各ドライバー設定ファイルには、主に、ＰＯＳプリンター２の機種
名（機種情報）と、ＰＯＳプリンター２のシリアル番号（デバイス固有情報）と、ＰＯＳ
プリンター２を接続する通信ポートのポート名と、を登録することができる。また、各ド
ライバー設定ファイルには、その他、各種印刷設定の設定情報を登録することができる。
本実施形態では、機種名、シリアル番号およびポート名を登録したドライバー設定ファイ
ルを作成し、作成したドライバー設定ファイルに、各種印刷設定の設定情報を登録するこ
とで、ドライバー設定を行う構成となっている。
【００２２】
通信モジュール３１は、各ＰＯＳプリンター２との通信を行うためのプログラムである
。通信モジュール３１は、複数の通信ポート（図示省略）を有し、各通信ポートによって
、各ＰＯＳプリンター２との通信を行う。通信モジュール３１は、通信設定記憶部３４に
記憶された通信ポート毎の通信設定ファイルを参照し、これに基づいて通信を行う。
【００２３】
プリンタードライバー３２は、各ＰＯＳプリンター２の印刷制御を行うためのプログラ
ムである。具体的には、プリンタードライバー３２は、印刷指令および入力データを受け
、入力データを変換して印刷コマンドを生成すると共に、印刷指令に基づくＰＯＳプリン
ター２に対し、通信モジュール３１を介して印刷コマンドを送信する。本実施形態では、
入力データとして、ＰＯＳアプリケーション３０からの会計処理データや印刷画像データ
を受け付け、これに基づく印刷コマンドを生成し送信する。これによって、レシートやラ
ベル、伝票シート等をＰＯＳプリンター２に印刷させる。また、入力データとして、自動
設定ツール３３からの設定確認用の印刷画像データを受け付け、これに基づく印刷コマン
ドを生成し送信する。これによって、通信設定およびドライバー設定の設定結果を印刷し
た設定確認用の印刷物をＰＯＳプリンター２に発行させる（詳細は後述する）。プリンタ
ードライバー３２は、ドライバー設定記憶部３５に設定されたＰＯＳプリンター２毎のド
ライバー設定ファイルを参照し、これに基づいて印刷コマンドを生成し送信する。
【００２４】
自動設定ツール３３は、通信設定およびドライバー設定を自動的に且つ一括して行うた
めのプログラムである。自動設定ツール３３は、ＩＰアドレス取得部４１と、通信設定部
４２と、装置情報取得部４３（機種情報取得部および固有情報取得部）と、ドライバー設
定部４４と、確認印刷制御部４５（印刷制御部）と、を備えている。
【００２５】
ＩＰアドレス取得部４１は、ホストコンピューター１に接続された各ＰＯＳプリンター
２のＩＰアドレスを取得する。具体的には、ＩＰアドレス取得部４１は、ホストコンピュ
ーター１に接続された全てのＰＯＳプリンター２に、ＩＰアドレス要求コマンドを送信し
、これに対する返信である各ＰＯＳプリンター２からのＩＰアドレスを受信する。これに
よって、各ＰＯＳプリンター２のＩＰアドレスを取得する。
【００２６】
通信設定部４２は、ＩＰアドレス取得部４１により取得した各ＩＰアドレスに基づいて
、通信モジュール３１による各ＰＯＳプリンター２との通信を確立するための通信設定を
行う。すなわち、通信設定部４２は、取得した各ＰＯＳプリンター２のＩＰアドレスを、
各通信ポートの通信設定ファイルに登録する。本実施形態では、通信設定部４２により、
各通信設定ファイルに各ＰＯＳプリンター２のＩＰアドレスを登録することで、通信モジ
ュール３１による各ＰＯＳプリンター２との通信を確立する。
【００２７】
装置情報取得部４３は、通信設定部４２により確立した、通信モジュール３１による各
ＰＯＳプリンター２との通信を利用して、当該各ＰＯＳプリンター２の機種名およびシリ
アル番号を取得する。具体的には、装置情報取得部４３は、通信モジュール３１により、
装置情報要求コマンドを当該各ＰＯＳプリンター２に送信し、これに対する返信である各
ＰＯＳプリンター２からの機種名およびシリアル番号を受信する。これによって、各ＰＯ
Ｓプリンター２の機種名およびシリアル番号を取得する。
【００２８】
ドライバー設定部４４は、装置情報取得部４３により取得した機種名およびシリアル番
号と、取得時に利用した通信ポートのポート名とに基づいて、各プリンタードライバー３
２で、各ＰＯＳプリンター２の印刷制御を行うためのドライバー設定を行う。すなわち、
ドライバー設定部４４は、ＰＯＳプリンター２毎に、機種名、シリアル番号およびポート
名を登録したドライバー設定ファイルを生成する。また、ドライバー設定部４４は、生成
したドライバー設定ファイルに、各種印刷設定の設定情報を登録する。本実施形態では、
後述の自動設定動作の際、各種印刷設定の設定情報として、規定のデフォルト値を設定す
る構成であり、別途、ユーザー設定によって、各種印刷設定の設定情報を書替え可能な構
成となっている。
【００２９】
確認印刷制御部４５は、通信設定およびドライバー設定が正常に行われたか否かを確認
するために、各ＰＯＳプリンター２に対する通信設定およびドライバー設定の設定結果を
、各ＰＯＳプリンター２に印刷させる。すなわち、各ＰＯＳプリンター２に対する通信ポ
ートの通信設定ファイルに登録された各設定情報（ＩＰアドレス）と、各ＰＯＳプリンタ
ー２に対するドライバー設定ファイルに登録された各設定情報（機種名、シリアル番号、
ポート名、各種印刷設定の設定情報）と、を各ＰＯＳプリンター２に印刷させる。具体的
には、確認印刷制御部４５は、ＰＯＳプリンター２毎の、当該各設定結果を各ＰＯＳプリ
ンター２に印刷させるための設定確認用の印刷指令および印刷画像データを、プリンター
ドライバー３２に入力する。これに対し、プリンタードライバー３２は、設定確認用の各
印刷指令および各印刷画像データを受けて、各印刷コマンドを生成すると共に、通信モジ
ュール３１を介して、各印刷コマンドを各ＰＯＳプリンター２に送信する。これによって
、各ＰＯＳプリンター２に各設定結果を印刷させ、各設定結果が印刷された印刷物を発行
させる。当該設定結果の印刷は、ドライバー設定で設定した設定情報と、通信設定で確立
した通信と、を利用して行われるため、印刷された設定結果だけでなく、印刷の有無や印
刷具合によっても、通信設定およびドライバー設定が正常に行われたか否かを確認するこ
とができる。
【００３０】
ここで図３を参照して、印刷システムＳＹによる自動設定動作について説明する。本自
動設定動作は、各ＰＯＳプリンター２に対する通信設定およびドライバー設定を一括して
行うと共に、各設定結果を各ＰＯＳプリンター２に印刷させるものである。
【００３１】
図３に示すように、まず、ホストコンピューター１は、ＩＰアドレス取得部４１により
、ホストコンピューター１に接続された各ＰＯＳプリンター２のＩＰアドレスを取得する
（Ｓ１〜Ｓ４）（ＩＰアドレス取得ステップ）。すなわち、ＩＰアドレス取得部４１によ
り、ＩＰアドレス要求コマンドを、ホストコンピューター１に接続された全てのＰＯＳプ
リンター２に送信する（Ｓ１）。これに対し、当該各ＰＯＳプリンター２は、ＩＰアドレ
ス要求コマンドを受信し（Ｓ２）、これに対する返信として、自身のＩＰアドレスをホス
トコンピューター１に送信する（Ｓ３）。これに対し、ホストコンピューター１は、この
ＩＰアドレスを受信する（Ｓ４）。これによって、各ＰＯＳプリンター２のＩＰアドレス
を取得する。
【００３２】
各ＰＯＳプリンター２のＩＰアドレスを取得したら、通信設定部４２により、取得した
ＩＰアドレスに基づいて、各ＰＯＳプリンター２との通信を確立するための通信設定を行
う（Ｓ５）（通信設定ステップ）。すなわち、各通信設定ファイルに、取得した各ＩＰア
ドレスを登録して、通信モジュール３１による各ＰＯＳプリンター２との通信を確立する
。
【００３３】
通信設定が完了したら、装置情報取得部４３により、各ＰＯＳプリンター２の機種名お
よびシリアル番号を取得する（Ｓ６〜Ｓ９）。すなわち、装置情報取得部４３により、通
信モジュール３１を介して、通信が確立された各ＰＯＳプリンター２にＩＰアドレス要求
コマンドを送信する（Ｓ６）。これに対し、当該各ＰＯＳプリンター２は、装置情報要求
コマンドを受信し（Ｓ７）、これに対する返信として、自身の機種名およびシリアル番号
を送信する（Ｓ８）。これに対し、ホストコンピューター１は、この機種名およびシリア
ル番号を受信する（Ｓ９）。これによって、各ＰＯＳプリンター２の機種名およびシリア
ル番号を取得する。
【００３４】
各ＰＯＳプリンター２の機種名およびシリアル番号を取得したら、ドライバー設定部４
４により、当該機種名および当該シリアル番号と、取得に利用した通信ポートのポート名
とに基づいて、各ＰＯＳプリンター２に対するドライバー設定を行う（Ｓ１０）。すなわ
ち、当該各ＰＯＳプリンター２について、機種名、シリアル番号およびポート名が登録さ
れたドライバー設定ファイルを作成すると共に、当該ドライバー設定ファイルに、各種印
刷設定の設定情報として、デフォルト値を登録する。
【００３５】
通信設定およびドライバー設定が完了したら、確認印刷制御部４５により、各ＰＯＳプ
リンター２に対する通信設定およびドライバー設定の設定結果を、各ＰＯＳプリンター２
に印刷させる（Ｓ１１〜Ｓ１３）（印刷制御ステップ）。すなわち、確認印刷制御部４５
により、各ＰＯＳプリンター２に対する、当該設定結果を各ＰＯＳプリンター２に印刷さ
せるための設定確認用の印刷指令および印刷画像データをプリンタードライバー３２に入
力する（Ｓ１１）。そして、プリンタードライバー３２で、各印刷指令および各印刷画像
データを受け、これに基づいて各印刷コマンドを生成し（Ｓ１２）、生成した各印刷コマ
ンドを、通信モジュール３１を介して各ＰＯＳプリンター２に送信する（Ｓ１３）。この
とき、プリンタードライバー３２は、上記ドライバー設定（Ｓ１０）により設定したドラ
イバー設定に基づいて、印刷データを生成し、通信モジュール３１は、上記通信設定（Ｓ
６）により設定した通信設定に基づいて、印刷コマンドを各ＰＯＳプリンター２に送信す
る。
【００３６】
これに対し、各ＰＯＳプリンター２は、印刷コマンドを受信し（Ｓ１４）、印刷コマン
ドに基づいて、印刷用紙に対し印刷処理を行う（Ｓ１５）。これによって、当該各ＰＯＳ
プリンター２に対する通信設定およびドライバー設定の設定結果（ＩＰアドレス、機種名
、シリアル番号、ポート名および各種印刷設定の設定情報）が印刷用紙に印刷され、各Ｐ
ＯＳプリンター２で当該設定結果が印刷された印刷物が発行される。これにより、本自動
設定動作を終了する。
【００３７】
以上、上記実施形態によれば、各ＰＯＳプリンター２に対する通信設定の設定結果を、
各ＰＯＳプリンター２で印刷させる構成であるため、ユーザーは、各ＰＯＳプリンター２
における印刷の有無や、各ＰＯＳプリンター２で印刷された設定結果を参照することで、
各ＰＯＳプリンター２に対する通信設定が正常に行われたか否かを、容易に確認すること
ができる。ひいては、複数のＰＯＳプリンター２に対する通信設定を一括して行うことが
でき、さらにその確認作業についても、一括して行うことができるため、一連の通信設定
および確認作業を容易に行うことができる。よって、印刷システムＳＹのユーザービリテ
ィを向上させることができる。
【００３８】
また、各ＰＯＳプリンター２に対するドライバー設定の設定結果についても、各ＰＯＳ
プリンター２で印刷させる構成であるため、ユーザーは、各ＰＯＳプリンター２における
印刷の有無や、印刷具合、各ＰＯＳプリンター２で印刷された設定結果を参照することで
、各ＰＯＳプリンター２に対するドライバー設定が正常に行われたか否かを、容易に確認
することができる。すなわち、通信設定と一緒に、ドライバー設定についても確認するこ
とができ、通信設定およびドライバー設定の確認作業を容易に行うことができる。
【００３９】
なお、上記実施形態においては、ホストコンピューター１に接続された全てのＰＯＳプ
リンター２に対する通信設定およびドライバー設定を行う構成であったが、ユーザーが、
当該全ＰＯＳプリンター２のうち通信設定およびドライバー設定を行うＰＯＳプリンター
２を指定するためのプリンター指定画面を表示部１２に表示し、ユーザーが指定したＰＯ
Ｓプリンター２（１台以上）のみに対する通信設定およびドライバー設定を行う構成であ
っても良い。
【００４０】
また、上記実施形態においては、自動設定動作におけるドライバー設定（Ｓ１０）にお
いて、各ＰＯＳプリンター２のドライバー設定ファイルに、各種印刷設定の設定情報とし
て、デフォルト値に登録する構成であったが、ユーザーが、当該各種印刷設定を決定する
ための印刷設定画面を表示部１２に表示し、ユーザーが決定した共通の印刷設定（の設定
情報）を、各ＰＯＳプリンター２のドライバー設定ファイルに、一括登録する構成であっ
ても良い。
【００４１】
さらに、上記実施形態においては省略したが、自動設定動作に先駆けて、各ＰＯＳプリ
ンターのＩＰアドレスを生成し、生成したＩＰアドレスを各ＰＯＳプリンターに登録する
ＩＰアドレス登録動作を行う構成であっても良い。
【符号の説明】
【００４２】
１：ホストコンピューター、  ２：ＰＯＳプリンター、  ３２：プリンタードライバー
、  ４１：ＩＰアドレス取得部、  ４２：通信設定部、  ４３：装置情報取得部、  ４４
：ドライバー設定部
【図１】
2016081406.tif 000003
【図２】
2016081406.tif 000004
【図３】
2016081406.tif 000005